(57)【特許請求の範囲】
【請求項１】
プレスブレーキの上型取付装置において、
ラム下部の後部に付設された固定プレートと、
ラム下部の前部に付設され、前記固定プレートとの間で上型を挟み込んで固定する可動プレートとを備え、
前記上型の上部には取付基部に沿って少なくとも後面に係止溝が設けられ、
前記固定プレートには前記上型の係止溝に係合する突起部が挟持面側に設けられ、
前記可動プレートは上下方向の中間位置にて前記ラムと接して揺動可能とされ、
付属する操作レバーによって前記可動プレートの下部を上型に押し付けることで、前記突起部に前記係止溝を係合させた状態で、上型を挟持固定させるように構成されている
ことを特徴とするプレスブレーキの上型取付装置。
【請求項２】
前記可動プレートには、幅方向に連なる突起条よりなり、かつ複数箇所で弾性体によって常時前記ラムに当接する揺動支点と、前記上型を前記固定プレートとで挟持する側と前記揺動支点をはさんで反対の位置に、前記可動プレートを揺動させる前記操作レバーが設けられている請求項１に記載のプレスブレーキの上型取付装置。
【請求項３】
前記可動プレートの上型押圧固定側には、弾性部材が取り付けられている請求項１または２に記載のプレスブレーキの上型取付装置。
【請求項４】
前記操作レバーは、前記可動プレートの上部にネジ軸をねじ込んで取り付けられ、その可動プレートに設けられるストッパーによる回動規制位置で前記ネジ軸先端がラム側に最大に突き出して可動プレートに上型をクランプする作用力が生じ、逆方向に回動させると前記作用力が解除されるように構成されている請求項１〜３のうちのいずれかに記載のプレスブレーキの上型取付装置。
【請求項５】
前記操作レバーのネジ軸先端と前記ラムとの間に移動可能なスライド部材が設けられ、前記スライド部材を前記操作レバーのネジ軸先端位置から外れるように移動させると、前記揺動支点を基準にして、前記可動プレートの下部を大きく開くことが可能なように構成されている請求項４に記載のプレスブレーキの上型取付装置。
【発明の詳細な説明】
【０００１】
【発明の属する技術分野】
本発明は、プレスブレーキにおける上型を簡単に、かつ安全に交換できるようにされたプレスブレーキの金型取付装置に関するものである。
【０００２】
【従来の技術】
従来、一般に板材を折り曲げ加工するのに使用されるプレスブレーキにおける上型（パンチ）のクランプ装置は、ラム下部にて後面の固定プレートと前面の可動プレートとの間にパンチを挟み込み、可動プレートをボルトで締め付けることによってそのパンチをクランプするようにされている。そのために、パンチの交換の際、多数のボルトを工具によって締め付けたり緩めたりしなければならず、大変面倒で工数のかかる作業を必要とした。また、ただパンチが前述のようにして挟み込まれているだけであるので、不注意に締め付けボルトを緩めるとパンチが落下する危険なものであった。
【０００３】
このようなことから、例えば流体圧の供給を受けてパンチのクランプ、アンクランプを行う流体圧操作式のもの、あるいは金型クランプ面に斜面を設けてパンチを上昇させることによってクランプ力を増大させるレバー式のクランプ装置も知られている。また、例えば特公平７−９０２８３号公報もしくは特開平８−５７５４２号公報に記載されているように、パンチの落下防止のために溝とその溝に入り込む出し入れ可能な突起を装備したパンチの押圧固定片とを有するものなどが知られている。
【０００４】
【発明が解決しようとする課題】
しかしながら、前記のような流体圧の供給を受けてクランプ、アンクランプを行う形式のものでは、流体を供給する装置やその制御機器が必要になり、またクランプ装置自体にもアキュームレータが必要なため構造が複雑となり、高価なものとなる。
【０００５】
また、クランプ力を増大させるために金型に傾斜面を付けるものではその斜面加工が難しく、かつその傾斜面に合わせられるような係合部材を設けるなどの必要があって、工作面において問題がある。
【０００６】
さらに、特公平７−９０２８３号公報や特開平８−５７５４２号公報で知られるようなクランプ装置では、上型の着脱操作時この上型と上型ホルダーとの間で落下防止のための係止部が設けられているが、前側の押圧保持部にその係止手段を設けているので、装着時に積極的に上型をその係止部に対応させねばならず、取り扱いが困難である。また、全般的に構成部材の点数が多くなって構造が複雑になるので製作費が嵩み、加えてその上型を装着部に対して前面側から填め込む操作を行うには構造的に無理がある、などの問題点がある。
【０００７】
本発明では、前述のような課題を解決するために、全体構成を簡素化して、しかも確実に、かつ安全にパンチの交換操作が行えるプレスブレーキの上型取付装置を提供することを目的とするものである。
【０００８】
【課題を解決するための手段】
本発明はこのような問題点を解決するために、取り扱う上型がまず装着部の後面側で落下防止用の突起部に対して一部を係合させて仮預けできるようにするとともに、前部に付設された可動プレートをレバー操作で簡単に押し付けて上型を正しい姿勢に保たせて確実に挟持装着できる構成とするプレスブレーキ金型の取付装置である。
【０００９】
そして、本発明では、その金型（上型）のラムに対する着脱は、上型装着部における上型のクランプ力を出力する操作レバーによる可動プレートへの可動操作部において、そのクランプ出力を得るための反力受支部の条件を変更することによって上下方向に揺動できるように支持される可動プレートの揺動範囲を広げるようにして、上型が装着部の前側から容易に着脱可能にし、作業性を高めることができる構成としたのである。
【００１０】
要するに、本発明によるプレスブレーキの上型取付装置は、
プレスブレーキの上型取付装置において、
ラム下部の後部に付設された固定プレートと、
ラム下部の前部に付設され、前記固定プレートとの間で上型を挟み込んで固定する可動プレートとを備え、
前記上型の上部には取付基部に沿って少なくとも後面に係止溝が設けられ、
前記固定プレートには前記上型の係止溝に係合する突起部が挟持面側に設けられ、
前記可動プレートは上下方向の中間位置にて前記ラムと接して揺動可能とされ、
付属する操作レバーによって前記可動プレートの下部を上型に押し付けることで、前記突起部に前記係止溝を係合させた状態で、上型を挟持固定させるように構成されている
ことを特徴とするものである。
【００１１】
本発明において、前記可動プレートには、幅方向に連なる突起条よりなり、かつ複数箇所で弾性体によって常時前記ラムに当接する揺動支点と、前記上型を前記固定プレートとで挟持する側と前記揺動支点をはさんで反対の位置に、前記可動プレートを揺動させる前記操作レバーが設けられているのが好ましい。そして、前記可動プレートの上型押圧固定側には、弾性部材が取り付けられるのがより好ましい。
【００１２】
また、前記操作レバーは、前記可動プレートの上部にネジ軸をねじ込んで取り付けられ、その可動プレートに設けられるストッパーによる回動規制位置で前記ネジ軸先端がラム側に最大に突き出して可動プレートに上型をクランプする作用力が生じ、逆方向に回動させると前記作用力が解除されるように構成されているのが良い。
【００１３】
さらに本発明では、前記操作レバーのネジ軸先端と前記ラムとの間に移動可能なスライド部材が設けられ、前記スライド部材を前記操作レバーのネジ軸先端位置から外れるように移動させると、前記揺動支点を基準にして、前記可動プレートの下部を大きく開くことが可能になり、前部位置から上型を取付部に対して着脱容易にすることができる。
【００１４】
このように構成される本発明装置によれば、着脱する上型がその上部の後面に設けられる係止溝部を固定プレートに設けられる突起部に係合させることによりまず装着時の上型をラム側に仮支持されることになって落下を防止され、しかる後に操作レバーによって可動プレートに対してクランプ力を出力させることで、装着固定できることになる。しかも、この可動プレートは、中間部に設けられる上下方向の揺動支点をラムに受け止めさせて操作レバーと保持する弾性体の作用力によって固定プレートとの間に位置する上型の保持部を強固に挟持して、その上型を固定することができる。
【００１５】
【発明の実施の形態】
次に、本発明によるプレスブレーキの上型取付装置の具体的実施の形態について、図面を参照しつつ説明する。
【００１６】
図１に示されるのは、本発明に係るプレスブレーキの上型取付装置の一実施例の縦断面図である。図２は図１の左側面図である。図３は図２におけるＡ−Ａ断面図である。図４は図２におけるＢ視断面図である。
【００１７】
これらの図において、本実施例の上型取付装置１は、プレスブレーキ（全体については図示省略する）のラム２の下部に沿って取り付けられており、そのラム２の下端部に形成されるホルダー取付部３は上型４の取付基部４’とほぼ同じ厚みに形成され、このホルダー取付部３に対して、後面側に固定プレート６がボルトにて固着され、前面側に前記固定プレート６と共同して上型４をクランプする可動プレート１０と固定操作を行うクランプ機構２０が付設されている。なお、この実施例で使用される上型４は、その取付基部４’に図１で示されるように長さ方向に落下防止用の係止溝５が前後両面（必要に応じて前面側の係止溝はなくともよい）に刻設されている。
【００１８】
前記固定プレート６は、図１で示されるように、その下端部の前面側に前記上型４の係止溝５と係合して上型装着時における落下防止用の突起条７が全長にわたり突設されている。そして、その突起条７は上型４の係止溝５に対して適宜遊びが生じる寸法に形成されている。
【００１９】
前記可動プレート１０は、図１で示されるように、裏面側に上下方向の高さにおいてほぼ中央部で突起条１１が全長にわたり形成され、この突起条１１が上型４をクランプする際の揺動支点となるようにしてあり、適宜間隔で中央線上複数箇所（この例では２カ所で中央から左右に等分した位置）に設けられた段付孔１２に填め込まれる弾性体１４を介してボルト１７にてラム２のホルダー取付部３に揺動可能に取り付けられている。従って、前記弾性体１４を介在してのボルト１７による取付部では、ボルト１７の挿通孔が可動プレート１０の上下揺動を妨げない寸法にされている。また、この実施例にあって前記弾性体１４としてはコイルバネが用いられ、このコイルバネにより前記突起条１１がラム２に当接するようにされている。
【００２０】
また、可動プレート１０の裏面下部には幅方向（長さ方向）に溝１３が設けられ、この溝１３にウレタン樹脂など弾性体の紐（弾性紐１５）がその一部を裏面から露出する状態にして嵌設されている。なお、この弾性紐１５は所要の間隔で皿ビス１６によって解脱しないように止められている。（図１参照）
【００２１】
前記可動プレート１０が上型４の装着固定する動作をさせるためのクランプ機構２０としては、前記可動プレート１０の揺動基点となる突起条１１より上側の中央部に付設される操作レバー２１と、この操作レバー２１を支持するためのネジ軸２２とでなり、ネジ軸２２は可動プレート１０に設けられたネジ穴１８にその軸端が裏面側に突き出すようにして螺合されている。前記操作レバー２１は、適宜長さを有して上型装着固定の状態で、図２で表されているように可動プレート１０に取り付けられているストッパー２３にて回動を規制される状態にされ、図上反時計方向に回動させるとネジ軸２２が引き込まれてラム２側への押し付け力が解消して上型４の挟持が解かれるようになっている。
【００２２】
このようなクランプ機構２０の一部として、操作レバー２１のネジ軸２２が螺合するネジ穴１８の位置の側部には、可動プレート１０の揺動範囲を拡大可能にするスライドプレート２５とその移動を規制するストッパー２６とが可動プレート１０の一部に付設されている。
【００２３】
前記スライドプレート２５は、可動プレート１０の裏面に形成された横長の凹所１９にスライド可能に填め込まれ、かつその凹所１９に沿って開口される長孔１９´に、スペーサーを介して挿入されるボルト２７によって移動可能に取り付けられている。そして、ストッパー２６が、このスライドプレート２５を前記操作レバー２１のネジ軸２２端と接触する位置に常時保持されるように、長孔１９´の一端部に前後に回動可能なようにピン２９で支持されて設けられている。なお、前記ストッパー２６は、ピン支持される基部から後半部を可動プレート１０の表面側に出るようにして、この後半部の内側にスプリング２８を接触させて常時ストッパー２６の先端部に設けられた係止段部２６’が前記スライドプレート２５の端部に接してストッパーの役目を果たすようにされている。前記スプリング２８は可動プレート１０の裏面側に取り付く受け金によって支えられている。
【００２４】
このように構成される本実施例の上型取付装置１は、前述のように取付基部４’に落下防止用の係止溝５が設けられた上型４を、図２及び図５で示されるように、ラム２に対して固定プレート６と可動プレート１０とによってその取付基部４’を前後から挟持されて装着固定されて使用される。この装着状態では、上型４の取付基部４’は後面を固定プレート６に受け止められ、前面には可動プレート１０の下端部と下部内面に取り付けられている弾性紐１５が強く押し付けられて挟持力が加えられ、固定される。
【００２５】
この可動プレート１０による上型４の取付基部４’に対する押圧力は、操作レバー２１を時計方向に回動させてストッパー２３による制限位置まで移動させると、可動プレート１０のネジ穴１８に螺合しているネジ軸２２がラム２側に突き出されて、スライドプレート２５をラム２下端部のホルダー取付部３の前面に強く押し当てる。すると、ネジ軸２２の前進によって螺合しているネジ穴１８を介して可動プレート１０が前側に押し戻されることになり、その可動プレート１０の裏面中央部にある突起条１１がラム２下端部のホルダー取付部３前面との接触を離れてわずかながら浮き上がる状態になる。その結果、当該可動プレート１０をその突起条１１の部分で支えているボルト１７にかかるコイルバネ１４の推力に抗することになって、その反力が揺動支点を境に下側の可動プレート１０縁部に強く作用して、強力に上型４の取付基部４’を押圧する。しかも、この可動プレート１０の下部内側には弾性紐１５が付されているので、その弾性紐１５による接触摩擦力が付加されて固定効果を一層高め得るのである。
【００２６】
次に、上型４を取付部から取り外すには、操作レバー２１を図２において反時計方向に回動させると、ネジ軸２２が取付時と逆方向に回転されるので、ラム２のホルダー取付部３の前面に押し付けられていたスライドプレート２５による押圧力が除かれて、可動プレート１０がフリーになる。そして、その可動プレート１０の下部に作用していた上型４に対する挟持圧力は解消され、上型４の取付基部４’は移動自在な状態となる。しかし、係止溝５と固定プレート６側の突起７とが係合状態にあるので、前述の固定力が解消しても落下することなく維持される。したがって、この上型４を横方向に移動させて抜き取ることが容易になる。なお、固定プレート６と可動プレート１０とによる上型取付部に上型４を横方向から挿入して取り付けるには、前述のように固定力が解消している状態で係止溝５を固定プレート６の突起７に合わせるようにして挿入することで行える。
【００２７】
また、本実施例では、前述のように、操作レバー２１の取付部横にスライドプレート２５を移動させる機構が付設されているので、可動プレート１０の表面に出ているストッパー２６の後半部を指で押すと、スプリング２８による保持力に抗してこのストッパー２６を前後方向に回動変位させてスライドプレート２５の移動を阻止しているストッパー２６の先端係止段部２６'が外れるので、支持しているボルト２７の頭部をもってスライドプレート２５を図上左方向に移動させる。このようにすることで、操作レバー２１を支持するネジ軸２２とスライドプレート２５との当接が解除されることになるので、その操作レバー２１によって可動プレート１０を大きく揺動させることが可能になり、この可動プレート１０と固定プレート６とによる上型取付基部４'の装着部への開口を大きくすることが可能となる。したがって、図７で示されるように、上型４を前方から着脱することが可能となる。
【００２８】
本実施例では、このようにして、可動プレート１０の下部を大きく変位させて上型４の装着・解脱を行うに際しても、ラム２下端部の上型装着空間にその上型４を挿入する際、上型４の後面の係止溝５を固定プレート６の下端の突起７に対して係合させるようにして挿入することで、可動プレート１０による挟持操作が行われるまでに、すでに係止溝５と突起７との係合で仮預けされて落下の恐れなく支持させることができ、作業の安全がまず確保できるのである。
【００２９】
なお、上型４の取付基部４’における係止溝を前後両面に設けるようにしておけば、この上型４を前後逆に向きを変えて前述のように安全に装着して、使用することが可能になる。
【００３０】
前述した本実施例におけるスライドプレートは、本発明のスライド部材に対応する。
【００３１】
【発明の効果】
上述のように、本発明によれば、装置全体の構成を簡素化できて、上型をラム下部の装着部にて着脱する際、上型取付基部の背面側に形成される係止溝を固定プレート側に設けられた突起に係合させるようにして、取扱操作上もっとも自然な姿勢の状態でまず上型が落下するのを防止できる構成とされているので、ラムに対する上型の装着部に横から挿入しての取り付け操作のみならず、前側からの着脱が安全に行えることになる。また、クランプ機構において可動プレートの上下方向の変位量を大きくできる機能を付加したことで、上型を前側から着脱操作する際に挿入部の開きを大きくして作業を容易に出来ることなど、作業性が一層向上する。
【図面の簡単な説明】
【図１】図１は、本発明に係るプレスブレーキの上型取付装置の一実施例の縦断面図である。
【図２】図２は、図１の左側面図である。
【図３】図３は、図２におけるＡ−Ａ断面図である。
【図４】図４は、図２におけるＢ視断面図である。
【図５】図５は、本発明に係るプレスブレーキの上型取付装置の一実施例の上型取付状態を表す要部の断面図である。
【図６】図６は、本発明に係るプレスブレーキの上型取付装置の一実施例の上型を取り外す状態での一態様を表す要部の断面図である。
【図７】図７は、本発明に係るプレスブレーキの上型取付装置の一実施例の上型を前側から着脱する態様を表す要部の断面図である。
【符号の説明】
１              上型取付装置
２              ラム
３              ホルダー取付部
４              上型
４’            上型の取付基部
５              係止溝
６              固定プレート
７              突起
１０            可動プレート
１１            可動プレートの突起条
１２            段付孔
１４            弾性体（コイルバネ）
１５            弾性紐
１７            可動プレートの取付用のボルト
１８            ネジ穴
２０            クランプ機構
２１            操作レバー
２２            操作レバーを支持するネジ軸
２３            操作レバーのストッパー
２５            スライドプレート
２６            スライドプレートのストッパー
【図１】
0003741496.tif 000002
【図２】
0003741496.tif 000003
【図３】
0003741496.tif 000004
【図４】
0003741496.tif 000005
【図５】
0003741496.tif 000006
【図６】
0003741496.tif 000007
【図７】
0003741496.tif 000008